(57)【要約】【課題】手書き入力されたディスプレイに表示されている軌跡を効率よく消去すること。【解決手段】実施形態によれば、表示制御手段と、処理手段とを具備する。表示制御手段は、手書きにより入力されるストロークに対応する少なくとも一つの軌跡をディスプレイに表示する。処理手段は、前記少なくとも一つの軌跡の内の第１の軌跡が選択された場合、前記第１の軌跡に対応する縦幅と横幅とに基づいて、前記第１の軌跡の少なくとも一部を消去するための処理か、前記第１の軌跡を消去するための処理の一方を行う。【選択図】図５
2014109796.tif 000002
【特許請求の範囲】
【請求項１】
手書きにより入力されるストロークに対応する少なくとも一つの軌跡をディスプレイに表示する表示制御手段と、
前記少なくとも一つの軌跡の内の第１の軌跡が選択される場合、前記第１の軌跡に対応する縦幅と横幅とに基づいて、前記第１の軌跡の少なくとも一部を消去するための処理か、前記第１の軌跡を消去するための処理の一方を行う処理手段と
を具備する電子機器。
【請求項２】
前記処理手段は、前記第１の軌跡の縦幅と横幅との比率が第１のしきい値より小さい場合に、前記第１の軌跡の一部を消去するための処理を行い、前記比率が前記第１のしきい値より小さくない場合に、前記第１の軌跡を消去するための処理を行う
請求項１に記載の電子機器。
【請求項３】
前記処理手段は、前記比率が第１のしきい値より小さい場合であって、前記第１の軌跡上の第１点が指定される場合、前記第１点の後に手書きにより入力された部分を削除する
請求項２に記載の電子機器。
【請求項４】
前記第１の軌跡の横幅が第２のしきい値より大きくない場合、前記処理手段は、前記第１の軌跡を消去するための処理を行う
請求項１に記載の電子機器。
【請求項５】
前記第１の軌跡の横幅が前記第２のしきい値より大きく、前記第１の軌跡の縦幅が第３のしきい値より大きくない場合、前記処理手段は、前記第１の軌跡の少なくとも一部を消去するための処理を行う
請求項１に記載の電子機器。
【請求項６】
手書きにより入力されるストロークに対応する少なくも一つの軌跡をディスプレイに表示し、
前記少なくとも一つの軌跡の内の第１の軌跡が選択される場合、前記第１の軌跡に対応する縦幅と横幅とに基づいて、前記第１の軌跡の少なくとも一部を消去するための処理か、前記第１の軌跡を消去するための処理の一方を行う
手書き文書処理方法。
【請求項７】
手書きにより入力されるストロークに対応する少なくも一つの軌跡をディスプレイに表示する手順と、
前記少なくも一つの軌跡の内の第１の軌跡が選択される場合、前記第１の軌跡に対応する縦幅と横幅とに基づいて、前記第１の軌跡の少なくとも一部を消去するための処理か、前記第１の軌跡を消去するための処理の一方を行う手順とを
コンピュータに実行させるためのプログラム。
【発明の詳細な説明】
【技術分野】
【０００１】
本発明の実施形態は、手書き文書の処理に関する。
【背景技術】
【０００２】
近年、タブレット、ＰＤＡ、スマートフォンといった種々の電子機器が開発されている。この種の電子機器の多くは、ユーザによる入力操作を容易にするために、タッチスクリーンディスプレイを備えている。
【０００３】
タッチスクリーンディスプレイに対して手書き入力される複数のストロークに対応する軌跡がタッチスクリーンに表示される。
【先行技術文献】
【特許文献】
【０００４】
【特許文献１】特開平１１−１４３６２８号公報
【発明の概要】
【発明が解決しようとする課題】
【０００５】
タッチスクリーンに表示されている軌跡を消去する際に、消去する時間を短縮するために、ストローク単位で消去することが提案されている。
【０００６】
ところが、筆記体の英字は１ストロークの続け字で書かれる。この場合に１ストローク単位で消去すると続け文字が全て消去されてしまい、書き直す際に書き直し文字が増え不便である。そこで、手書き入力されたディスプレイに表示されている軌跡を効率よく消去することが望まれている。
【０００７】
本発明の目的は、手書き入力されたディスプレイに表示されている軌跡を効率よく消去することが可能な電子機器および手書き文書処理方法を提供することにある。
【課題を解決するための手段】
【０００８】
実施形態によれば、表示制御手段と、処理手段とを具備する。表示制御手段は、手書きにより入力されるストロークに対応する少なくとも一つの軌跡をディスプレイに表示する。処理手段は、前記少なくとも一つの軌跡の内の第１の軌跡が選択された場合、前記第１の軌跡に対応する縦幅と横幅とに基づいて、前記第１の軌跡の少なくとも一部を消去するための処理か、前記第１の軌跡を消去するための処理の一方を行う。
【図面の簡単な説明】
【０００９】
【図１】実施形態の電子機器の外観の一例を示す斜視図。
【図２】実施形態の電子機器のタッチスクリーンディスプレイ上に手書きされる手書き文書の例を示す図。
【図３】実施形態の電子機器によって記憶媒体に保存される、図２の手書き文書に対応する時系列情報を説明するための図。
【図４】実施形態の電子機器のシステム構成の一例を示すブロック図。
【図５】実施形態の電子機器によって実行されるデジタルノートブックアプリケーションプログラムの機能構成の一例を示すブロック図。
【図６】インタフェースの一例を示す図。
【図７】手書き文書描画処理部によって描画された手書きページの一例を示す図。
【図８】ＬＣＤに表示される手書きページの一例を示す図
【図９】手書き文字“Ａ”を示す図。
【図１０】ブロック体の手書き文字“Ａ”内の軌跡“∧”を示す図。
【図１１】手書き文字“ａｂｃｄｅｆｇ”を示す図。
【図１２】筆記体の手書き文字“ａｂｃｄｅｆｇ”を示す図。
【図１３】手書き文字“ａｂｃｄｅｆｇ”の軌跡を示す図。
【図１４】例えばブロック体の手書き文字“Ａ”の軌跡“∧”が選択された状態を示す図。
【図１５】例えばブロック体の手書き文字“Ａ”から軌跡“∧”が消去された状態を示す図。
【図１６】筆記体で連続した複数の英字“ａｂｃｄｅｆｇ”の軌跡が選択された状態を示す図。
【図１７】英字“ａｂｃｄｅｆｇ”の軌跡の一部が消去された状態を示す図。
【図１８】手書きされた矢印を示す図。
【図１９】手書きされた矢印の軌跡が消去された状態を示す図。
【発明を実施するための形態】
【００１０】
以下、実施の形態について図面を参照して説明する。
【００１１】
図１は、一実施形態に係るタブレットコンピュータ１０の外観を示す斜視図である。タブレットコンピュータ１０は、タブレットまたはストレートコンピュータとも称される携帯型電子機器であり、図１に示すように、本体１１とタッチスクリーンディスプレイ１７とを備える。タッチスクリーンディスプレイ１７は、本体１１の上面に重ね合わせるように取り付けられている。
【００１２】
本体１１は、薄い箱形の筐体を有している。タッチスクリーンディスプレイ１７には、フラットパネルディスプレイと、フラットパネルディスプレイの画面上のペンまたは指の接触位置を検出するように構成されたセンサとが組み込まれている。フラットパネルディスプレイは、例えば、液晶表示装置（ＬＣＤ）であってもよい。センサとしては、例えば、静電容量方式のタッチパネル、電磁誘導方式のデジタイザなどを使用することができる。以下の例では、デジタイザとタッチパネルの２種類のセンサの双方がタッチスクリーンディスプレイ１７に組み込まれている場合を想定する。
【００１３】
デジタイザおよびタッチパネルタッチの各々は、フラットパネルディスプレイの画面を覆うように設けられる。このタッチスクリーンディスプレイ１７は、指を使用した画面に対するタッチ操作のみならず、ペン１００を使用した画面に対するタッチ操作も検出することができる。ペン１００は例えば電磁誘導ペンであってもよい。ユーザは、外部オブジェクト（ペン１００又は指）を使用してタッチスクリーンディスプレイ１７上で手書き入力操作を行うことができる。手書き入力操作中においては、画面上の外部オブジェクト（ペン１００又は指）の動きの軌跡、つまり手書き入力操作によって手書きされるストロークの軌跡（筆跡）がリアルタイムに描画され、これによって各ストロークの軌跡が画面上に表示される。外部オブジェクトが画面に接触されている間の外部オブジェクトの動きの軌跡が１ストロークに相当する。手書きされた文字または図形などに対応する多数のストロークの集合、つまり多数の軌跡（筆跡）の集合が手書き文書を構成する。
【００１４】
本実施形態では、この手書き文書は、イメージデータではなく、各ストロークの軌跡の座標列とストローク間の順序関係を示す時系列情報として記憶媒体に保存される。この時系列情報の詳細は図３を参照して後述するが、この時系列情報は、概して、複数のストロークにそれぞれ対応する時系列のストロークデータの集合を意味する。各ストロークデータは、ある一つのストロークに対応し、このストロークの軌跡上の点それぞれに対応する座標データ系列（時系列座標）を含む。これらストロークデータの並びの順序は、ストロークそれぞれが手書きされた順序つまり筆順に相当する。
【００１５】
タブレットコンピュータ１０は、記憶媒体から既存の任意の時系列情報を読み出し、この時系列情報に対応する手書き文書、つまりこの時系列情報によって示される複数のストロークそれぞれに対応する軌跡を画面上に表示することができる。
【００１６】
本実施形態では、時系列情報（手書き文書）は、１つまたは複数のページとして管理されうる。この場合、時系列情報（手書き文書）を１つの画面に収まる面積単位で区切ることによって、１つの画面に収まる時系列情報のまとまりを１つのページとして記録してもよい。あるいは、ページのサイズを可変できるようにしてもよい。この場合、ページのサイズは１つの画面のサイズよりも大きい面積に広げることができるので、画面のサイズよりも大きな面積の手書き文書を一つのページとして扱うことができる。１つのページ全体をディスプレイに同時に表示できない場合は、そのページを縮小するようにしてもよいし、縦横スクロールによってページ内の表示対象部分を移動するようにしてもよい。
【００１７】
次に、図２および図３を参照して、ユーザによって手書きされたストローク（文字、マーク、図形など）と時系列情報との関係について説明する。図３は、ペン１００などを使用してタッチスクリーンディスプレイ１７上に手書きされる手書き文書（手書き文字列）の例を示している。
【００１８】
手書き文書では、一旦手書きされた文字や図形などの上に、さらに別の文字や図形などが手書きされるというケースが多い。図２においては、「ＡＢＣ」の手書き文字列が「Ａ」、「Ｂ」、「Ｃ」の順番で手書きされ、この後に、手書きの矢印が、手書き文字「Ａ」のすぐ近くに手書きされた場合が想定されている。
【００１９】
手書き文字「Ａ」は、ペン１００などを使用して手書きされる２つのストローク（「∧」形状の軌跡、「−」形状の軌跡）によって、つまり２つの軌跡によって表現される。最初に手書きされる「∧」形状のペン１００の軌跡は例えば等時間間隔でリアルタイムにサンプリングされ、これによって「∧」形状のストロークの時系列座標ＳＤ１１、ＳＤ１２、…ＳＤ１ｎが得られる。同様に、次に手書きされる「−」形状のペン１００の軌跡もサンプリングされ、これによって「−」形状のストロークの時系列座標ＳＤ２１、ＳＤ２１、…ＳＤ２ｎが得られる。
【００２０】
手書き文字「Ｂ」は、ペン１００などを使用して手書きされた２つのストローク、つまり２つの軌跡によって表現される。手書き文字「Ｃ」は、ペン１００などを使用して手書きされた手書きされた１つのストローク、つまり１つの軌跡によって表現される。手書きの「矢印」は、ペン１００などを使用して手書きされた手書きされた２つのストローク、つまり２つの軌跡によって表現される。
【００２１】
図３は、図２の手書き文書に対応する時系列情報２００を示している。時系列情報は、複数のストロークデータＳＤ１、ＳＤ２、…、ＳＤ７を含む。時系列情報２００内においては、これらストロークデータＳＤ１、ＳＤ２、…、ＳＤ７は、筆跡順に、つまり複数のストロークが手書きされた順に時系列に並べている。
【００２２】
時系列情報２００において、先頭の２つのストロークデータＳＤ１、ＳＤ２は、手書き文字「Ａ」の２つのストロークをそれぞれ示している。３番目と４番目のストロークデータＳＤ３、ＳＤ４は、手書き文字「Ｂ」を構成する２つのストロークをそれぞれ示している。５番目のストロークデータＳＤ５は、手書き文字「Ｃ」を構成する１つのストロークを示している。６番目と７番目のストロークデータＳＤ６、ＳＤ７は、手書き「矢印」を構成する２つのストロークをそれぞれ示している。
【００２３】
各ストロークデータは、一つのストロークに対応する座標データ系列（時系列座標）、つまり一つのストロークの軌跡上の複数の点それぞれに対応する複数の座標を含む。各ストロークデータにおいては、複数の座標はストロークが書かれた順に時系列に並べられている。例えば、手書き文字「Ａ」に関しては、ストロークデータＳＤ１は、手書き文字「Ａ」の「∧」形状のストロークの軌跡上の点それぞれに対応する座標データ系列（時系列座標）、つまりｎ個の座標データＳＤ１１、ＳＤ１２、…ＳＤ１ｎを含む。ストロークデータＳＤ２は、手書き文字「Ａ」の「−」形状のストロークの軌跡上の点それぞれに対応する座標データ系列、つまりｎ個の座標データＳＤ２１、ＳＤ２２、…ＳＤ２ｎを含む。なお、座標データの数はストロークデータ毎に異なっていてもよい。
【００２４】
各座標データは、対応する軌跡内のある１点に対応するＸ座標およびＹ座標を示す。例えば、座標データＳＤ１１は、「∧」形状のストロークの始点のＸ座標（Ｘ１１）およびＹ座標（Ｙ１１）を示す。ＳＤ１ｎは、「∧」形状のストロークの終点のＸ座標（Ｘ１ｎ）およびＹ座標（Ｙ１ｎ）を示す。
【００２５】
さらに、各座標データは、その座標に対応する点が手書きされた時点に対応するタイムスタンプ情報Ｔを含んでいてもよい。手書きされた時点は、絶対時間（例えば、年月日時分秒）またはある時点を基準とした相対時間のいずれであってもよい。例えば、各ストロークデータに、ストロークが書き始められた絶対時間（例えば、年月日時分秒）をタイムスタンプ情報として付加し、さらに、ストロークデータ内の各座標データに、絶対時間との差分を示す相対時間をタイムスタンプ情報Ｔとして付加してもよい。
【００２６】
このように、各座標データにタイムスタンプ情報Ｔが追加された時系列情報を使用することにより、ストローク間の時間的関係をより精度よく表すことができる。
【００２７】
さらに、各座標データには、筆圧を示す情報（Ｚ）を追加してもよい。
【００２８】
図３で説明したような構造を有する時系列情報２００は、個々のストロークの筆跡だけでなく、ストローク間の時間的関係も表すことができる。したがって、この時系列情報２００を使用することにより、図２に示すようにたとえ手書き「矢印」の先端部が手書き文字「Ａ」上に重ねてまたは手書き文字「Ａ」に近接して書かれたとしても、手書き文字「Ａ」と手書き「矢印」の先端部とを異なる文字または図形として扱うことが可能となる。
【００２９】
図４は、タブレットコンピュータ１０のシステム構成を示す図である。  
タブレットコンピュータ１０は、図２に示されるように、ＣＰＵ１０１、システムコントローラ１０２、主メモリ１０３、グラフィクスコントローラ１０５、ＢＩＯＳ−ＲＯＭ１０５、不揮発性メモリ１０６、無線通信デバイス１０７、エンベデッドコントローラ（ＥＣ）１０８等を備える。
【００３０】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（ＯＳ）２０１、および各種アプリケーションプログラムが含まれている。アプリケーションプログラムには、デジタルノートブックアプリケーションプログラム２０２が含まれている。このデジタルノートブックアプリケーションプログラム２０２は、上述の手書き文書を作成および表示する機能、手書き文書を編集する機能、および文字・図表認識機能等を有している。
【００３１】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００３２】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００３３】
グラフィクスコントローラ１０４は、本タブレットコンピュータ１０のディスプレイモニタとして使用されるＬＣＤ１７Ａを制御する表示コントローラである。このグラフィクスコントローラ１０４によって生成される表示信号はＬＣＤ１７Ａに送られる。ＬＣＤ１７Ａは、表示信号に基づいて画面イメージを表示する。このＬＣＤ１７Ａ上にはタッチパネル１７Ｂおよびデジタイザ１７Ｃが配置されている。タッチパネル１７Ｂは、ＬＣＤ１７Ａの画面上で入力を行うための静電容量式のポインティングデバイスである。指が接触される画面上の接触位置および接触位置の動き等はタッチパネル１７Ｂによって検出される。デジタイザ１７Ｃは、画面上の接触位置を示す座標を出力する。デジタイザ１７ＣはＬＣＤ１７Ａの画面上で入力を行うための電磁誘導式のポインティングデバイスである。ペン１００が接触される画面上のペン１００の位置（座標）およびペン１００の位置の動き等はデジタイザ１７Ｃによって検出される。デジタイザ１７Ｃは、画面上のペン１００の位置を示す座標を出力する。
【００３４】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じて本タブレットコンピュータ１０を電源オンまたは電源オフする機能を有している。
【００３５】
次に、図５を参照して、デジタルノートブックアプリケーションプログラム２０２の機能構成について説明する。
【００３６】
デジタルノートブックアプリケーションプログラム２０２は、モード制御部３０１、時系列情報生成部３０２、手書き文書描画処理部３０３、表示処理部３０４、ページ保存処理部３０５、ページ取得処理部３０６、および消去処理部３０７等を備える。
【００３７】
デジタルノートブックアプリケーションプログラム２０２は、タッチスクリーンディスプレイ１７を用いて入力されるストロークデータを使用することによって、手書き文書の作成、表示、編集等を行う。タッチスクリーンディスプレイ１７は、「タッチ」、「移動（スライド）」、「リリース」等のイベントの発生を検出するように構成されている。「タッチ」は、画面上に外部オブジェクトが接触したことを示すイベントである。「移動（スライド）」は、画面上に外部オブジェクトが接触されている間に接触位置が移動されたことを示すイベントである。「リリース」は、画面から外部オブジェクトが離されたことを示すイベントである。
【００３８】
モード制御部３０１は、入力モードと消去モードを切り換えるための入力モードボタンと消去モードボタンとを含むインタフェースを描画する処理を行う。描画されたインタフェースは表示処理部３０４に送られる。図６は、インタフェースの一例を示す図である。インタフェースは、入力モードボタン６０１と消去モードボタン６０２とを含む。入力モードボタン６０１をペンまたは指でタッチすると、入力モードになる。消去モードボタン６０２をペンまたは指でタッチすると、消去モードになる。入力モードボタン６０１がペンまたは指でタッチされると、モード制御部３０１は、入力モードであることを時系列情報生成部３０２および消去処理部３０７に通知する。消去モードボタン６０２がペンまたは指でタッチされると、モード制御部３０１は、消去モードであることを時系列情報生成部３０２および消去処理部３０７に通知する。
【００３９】
入力モード時に、時系列情報生成部３０２は、タッチスクリーンディスプレイ１７によって発生される「タッチ」または「移動（スライド）」のイベントを受信し、これによって手書き入力操作を検出する。「タッチ」イベントには、接触位置の座標が含まれている。「移動（スライド）」イベントにも、移動先の接触位置の座標が含まれている。したがって、時系列情報生成部３０２は、タッチスクリーンディスプレイ１７から、接触位置の動きの軌跡に対応する座標列を受信することができる。
【００４０】
時系列情報生成部３０２は、タッチスクリーンディスプレイ１７から出力される座標列を受信し、この座標列に基づいて、上述の時系列情報を生成する。時系列情報生成部３０２は、時系列情報、つまりストロークの各点に対応する座標データおよびタイムスタンプ情報を含むストロークデータを作業メモリ４０１に一時保存してもよい。
【００４１】
手書き文書描画処理部３０３は、作業メモリ４０１内の時系列情報を解析し、この解析結果に基づいて、時系列情報によって示される各ストロークの軌跡を手書きページとして描画する処理を行う。手書き文書描画処理部３０３により、画面にペン１００が接触している間のペン１００の軌跡、つまり各ストロークの軌跡が手書きページに描画される。
【００４２】
図７は、手書き文書描画処理部３０３によって描画された手書きページ７００の一例を示す図である。図７に示すように、手書きページ７００には、ブロック体で手書きされた手書き文字“Ａ”７０１と、筆記体で手書きされた手書き文字“ａｂｃｄｅｆｇ”７０２とが描画されている。
【００４３】
表示処理部３０４は、手書き文書描画処理部３０３によって描画された手書きページ上にモード制御部３０１によって描画されたインタフェース６００を描画し、ＬＣＤ１７Ａに表示されるインタフェース６００を含む手書き文書を表示するためのデータを生成する処理を行う。
【００４４】
図８は、ＬＣＤ１７Ａに表示される手書きページを示す図である。図８に示すように、手書きページ８００には、手書き文字“Ａ”７０１と、筆記体で手書きされた手書き文字“ａｂｃｄｅｆｇ”７０２と、インタフェース６００とが表示される。
【００４５】
ページ保存処理部３０５は、生成された時系列情報を手書き文書（手書きページ）として記憶媒体４０２に保存する。記憶媒体４０２は、上述したように、タブレットコンピュータ１０内のストレージデバイス、タブレットコンピュータ１０内のストレージデバイス、サーバのストレージデバイスのいずれであってもよい。
【００４６】
また、ページ取得処理部３０６は、記憶媒体４０２から既に格納されている任意の時系列情報を読み出す。読み出された時系列情報は作業メモリ４０１に格納される。手書き文書描画処理部３０３は、時系列情報を解析し、この解析結果に基づいて、時系列情報によって示される各ストロークの軌跡を画面上に手書きページとして表示する。
【００４７】
時系列情報生成部３０２は、消去処理部３０７を備えている。消去モード時に、消去処理部３０７は、ペンによってタッチされることによって選択された軌跡の一部を消去する処理か、選択された軌跡の一部を消去する処理を行う。消去処理部３０７は、選択された軌跡の一部を消去する処理か、選択された軌跡の一部を消去する処理を行うために、選択された軌跡の縦幅と横幅とに基づいて、タッチされた軌跡に対応するストロークデータの少なくとも一部のデータを削除する処理か、タッチされた軌跡に対応するストロークデータを消去するための処理の一方を行う。より具体的には、選択された軌跡の外接図形（外接矩形のような外接枠）の縦幅と横幅との比率に基づいて、タッチされた軌跡に対応するストロークデータの少なくとも一部のデータを削除か、タッチされた軌跡に対応するストロークデータを消去するための処理の一方を行う。
【００４８】
英字の筆記体は１ストロークの続け字で書かれる。この場合に１ストローク単位で消去すると文字が続け字すべてが消去されてしまい、書き直す際に書き直し文字が増え不便である。また、日本語や英字のブロック体の場合、ストローク単位で消去したほうが、都合が良いことが多い。消去処理部３０７は、選択された軌跡の外接図形の縦幅と横幅との比率に基づいて、軌跡単位で消去したり、軌跡の一部を消去したりする。
【００４９】
図９は、手書き文字“Ａ”７０１を示す図である。手書き文字“Ａ”７０１は、軌跡７０１１と軌跡７０１２とから構成されている。図１０は、手書き文字“Ａ”７０１の軌跡７０１１を示す図である。例えば、軌跡７０１１の外接図形７０１０の縦幅Ａ１と横幅Ｂ１との比率は、Ａ１／Ｂ１である。
【００５０】
図１１は、手書き文字“ａｂｃｄｅｆｇ”７０２を示す図である。手書き文字“ａｂｃｄｅｆｇ”７０２は、軌跡７０２１から構成されている。図１２は、軌跡７０２１を示す図である。軌跡７０２１の外接図形７０２０の縦幅Ａ２と横幅Ｂ２との比率は、Ａ２／Ｂ２である。
【００５１】
筆記体の手書き文字“ａｂｃｄｅｆｇ”７０２は横に長いので、手書き文字“ａｂｃｄｅｆｇ”７０２の外接図形の縦幅と横幅との比率Ａ２／Ｂ２は、軌跡７０１１の外接図形の縦幅Ａ１と横幅Ｂ１との比率Ａ１／Ｂ１と比べて、小さくなる傾向がある。
【００５２】
消去処理部３０７は、選択された軌跡の外接図形の縦幅Ａと横幅Ｂとの比率Ａ／Ｂがしきい値より小さい場合に、選択された軌跡の一部を消去するための処理を行う。選択された軌跡の一部を消去するために、消去処理部３０７は、選択された軌跡に対応する時系列情報内のストロークデータの一部を消去する。より具体的には、消去処理部３０７は、軌跡上の点が指定された場合、タイムスタンプ情報Ｔに基づいて、時系列情報内の選択された軌跡に対応するストロークデータから、指定された軌跡上の点から後に入力された軌跡に対応する座標データを削除する。
【００５３】
消去処理部３０７は、選択された軌跡の外接図形の縦幅Ａと横幅Ｂとの比率Ａ／Ｂがしきい値より小さくない場合に、選択された軌跡を消去するための処理を行う。より具体的には、消去処理部３０７は、時系列情報内の選択された軌跡に対応するストロークデータを削除する。
【００５４】
なお、軌跡７０１２が選択された場合、“−”は横に長いので、“−”外接図形の縦幅と横幅との比率が小さくなる。そのため、ブロック体で手書きされたのにも係わらず、“−”の一部が消去されることになる。そのため、縦幅と横幅との比率としきい値とを比較する前に、選択された軌跡の横幅がしきい値より大きいかを判定し、選択された軌跡の縦幅がしきい値より大きいかを判定するようにしても良い。横幅がしきい値より大きく、且つ縦幅がしきい値より大きくないと判定された場合に、選択された軌跡を削除するようにするようにしても良い。また、縦幅がしきい値より大きくないと判定された場合に、横線と考えられるので、選択された軌跡を削除するようにするようにしても良い。
【００５５】
図１３は、消去モード時の消去処理部３０７の消去処理の手順を示すフローチャートである。  
消去処理部３０７は、選択された軌跡の縦幅、横幅、および縦幅と横幅との比率（縦幅／横幅）を算出する（ステップＢ１１）。横幅は、選択された軌跡に対応するストロークデータの横方向の最大座標値と最小座標値との差に基づいて算出される。縦幅は、選択された軌跡に対応するストロークデータの縦方向の最大座標値と最小座標値との差に基づいて算出される。縦幅と横幅との比率（縦幅／横幅）は、算出された縦幅と横幅に基づいて算出される。
【００５６】
消去処理部３０７は、横幅が第１のしきい値より大きいかを判定する（ステップＢ１２）。横幅が第１のしきい値より大きいと判定した場合（ステップＢ１２のＹｅｓ）、消去処理部３０７は、縦幅が第２のしきい値より大きいかを判定する（ステップＢ１３）。縦幅が第２のしきい値より大きいと判定した場合（ステップＢ１３のＹｅｓ）、消去処理部３０７は、縦幅と横幅との比率が第３のしきい値より小さいかを判定する（ステップＢ１４）。比率が第３のしきい値より小さいと判定した場合（ステップＢ１４のＹｅｓ）、消去処理部３０７は、軌跡に対応するストロークデータの一部を消去する（ステップＢ１５）。
【００５７】
横幅が第１のしきい値より大きくないと判定した場合（ステップＢ１２のＮｏ）、縦幅が第２のしきい値より大きくないと判定した場合（ステップＢ１３のＮｏ）、比率が第３のしきい値より小さくないと判定した場合（ステップＢ１４のＮｏ）、または消去処理部３０７は、選択された軌跡に対応するストロークデータを削除する（ステップＢ１６）。
【００５８】
ステップＢ１２の判定により図形や文字の縦線などの場合はＮｏの判定となり、ストローク単位での消去が行われる。ステップＢ１３の判定により図形や文字の横線などはＮｏの判定となり、軌跡単位での消去がおこなわれる。ステップＢ１４の判定により英語の筆記体等はＹｅｓの判定となり、軌跡の一部が消去される。ブロック体の文字を構成する軌跡はＮｏの判定となり軌跡単位で消去される。
【００５９】
図１４に示すように、例えばブロック体の手書き文字“Ａ”７０１の軌跡７０１１と軌跡７０１２のうち、軌跡７０１１がペン１００によってタッチされることによって、軌跡７０１１が選択された場合を説明する。ポインタ９０１は、ペン１００のタッチ位置を示すものである。この場合、ステップＢ１４の条件判定でＮｏと判定されて軌跡７０１１単位での消去が行われる。即ち、図１５に示すように、選択された軌跡７０１１が消去され、軌跡７０１２のみが表示される。
【００６０】
また、図１６に示すように、例えば筆記体で手書きされた連続した複数の英字“ａｂｃｄｅｆｇ”７０２の軌跡７０２１がペンによってタッチされることによって、軌跡７０２１上の点が指定された場合を説明する。この場合、ステップＢ１４の条件判定でＹｅｓと判定されて軌跡の一部が消去される。即ち、図１７に示すように、指定された軌跡上の点から後に入力された軌跡が消去される。
【００６１】
図１８および図１９は消去の一例を示す図である。図１８に示すように、矢印１０００は軌跡１００１と軌跡１００２とから構成されている。矢印１０００の横線である軌跡１００１が選択されている。この場合、ステップＢ１３の条件判定でＮｏと判定される。そのため、図１９に示すように、軌跡１００１単位での消去が行われ、軌跡１００２のみが表示される。
【００６２】
選択された軌跡の縦幅と横幅との比率に応じて、選択された軌跡の少なくとも一部を消去することで、手書き入力によりディスプレイに表示されている軌跡を効率よく消去することが可能になる。
【００６３】
本実施形態の手書き文書に対する各種処理はコンピュータプログラムによって実現することができるので、このコンピュータプログラムを格納したコンピュータ読み取り可能な記憶媒体を通じてこのコンピュータプログラムを通常のコンピュータにインストールして実行するだけで、本実施形態と同様の効果を容易に実現することができる。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１０…タブレットコンピュータ（電子機器）、１７…タッチスクリーンディスプレイ、１７Ａ…ＬＣＤ、１７Ｂ…タッチパネル（入力手段）、１７Ｃ…デジタイザ（入力手段）、１０１…ＣＰＵ、１０３…主メモリ、２０１…オペレーティングシステム、２０２…デジタルノートブックアプリケーションプログラム、３０１…モード制御部、３０２…時系列情報生成部、３０３…手書き文書描画処理部、３０４…表示処理部、３０５…ページ保存処理部、３０６…ページ取得処理部、３０７…消去処理部、４０１…作業メモリ、４０２…記憶媒体。
【図１】
2014109796.tif 000003
【図２】
2014109796.tif 000004
【図３】
2014109796.tif 000005
【図４】
2014109796.tif 000006
【図５】
2014109796.tif 000007
【図６】
2014109796.tif 000008
【図７】
2014109796.tif 000009
【図８】
2014109796.tif 000010
【図９】
2014109796.tif 000011
【図１０】
2014109796.tif 000012
【図１１】
2014109796.tif 000013
【図１２】
2014109796.tif 000014
【図１３】
2014109796.tif 000015
【図１４】
2014109796.tif 000016
【図１５】
2014109796.tif 000017
【図１６】
2014109796.tif 000018
【図１７】
2014109796.tif 000019
【図１８】
2014109796.tif 000020
【図１９】
2014109796.tif 000021
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
手書きにより入力されるストロークに対応する少なくとも一つの軌跡をディスプレイに表示する表示制御手段と、
前記少なくとも一つの軌跡の内の第１の軌跡が選択される場合、前記第１の軌跡に対応する縦幅と横幅とに基づいて、前記第１の軌跡の少なくとも一部を消去するための処理か、前記第１の軌跡を消去するための処理の一方を行う処理手段と
を具備し、
前記第１の軌跡の横幅が第２のしきい値より大きくない場合、前記処理手段は、前記第１の軌跡を消去するための処理を行う
電子機器。
【請求項２】
前記処理手段は、前記第１の軌跡の縦幅と横幅との比率が第１のしきい値より小さい場合に、前記第１の軌跡の一部を消去するための処理を行い、前記比率が前記第１のしきい値より小さくない場合に、前記第１の軌跡を消去するための処理を行う
請求項１に記載の電子機器。
【請求項３】
前記処理手段は、前記比率が第１のしきい値より小さい場合であって、前記第１の軌跡上の第１点が指定される場合、前記第１点の後に手書きにより入力された部分を削除する請求項２に記載の電子機器。
【請求項４】
前記第１の軌跡の横幅が前記第２のしきい値より大きく、前記第１の軌跡の縦幅が第３のしきい値より大きくない場合、前記処理手段は、前記第１の軌跡の少なくとも一部を消去するための処理を行う
請求項１に記載の電子機器。
【請求項５】
手書きにより入力されるストロークに対応する少なくも一つの軌跡をディスプレイに表示し、
前記少なくとも一つの軌跡の内の第１の軌跡が選択される場合、前記第１の軌跡に対応する縦幅と横幅とに基づいて、前記第１の軌跡の少なくとも一部を消去するための処理か、前記第１の軌跡を消去するための処理の一方を行う
手書き文書処理方法であって、
前記第１の軌跡の横幅が第２のしきい値より大きくない場合、前記第１の軌跡を消去するための処理を行う
手書き文書処理方法。
【請求項６】
前記第１の軌跡の縦幅と横幅との比率が第１のしきい値より小さい場合に、前記第１の軌跡の一部を消去するための処理を行い、前記比率が前記第１のしきい値より小さくない場合に、前記第１の軌跡を消去するための処理を行う
請求項５に記載の手書き文書処理方法。
【請求項７】
前記比率が第１のしきい値より小さい場合であって、前記第１の軌跡上の第１点が指定される場合、前記第１点の後に手書きにより入力された部分を削除する請求項６に記載の手書き文書処理方法。
【請求項８】
前記第１の軌跡の横幅が前記第２のしきい値より大きく、前記第１の軌跡の縦幅が第３のしきい値より大きくない場合、前記第１の軌跡の少なくとも一部を消去するための処理を行う
請求項５に記載の手書き文書処理方法。
【請求項９】
手書きにより入力されるストロークに対応する少なくも一つの軌跡をディスプレイに表示する手順と、
前記少なくも一つの軌跡の内の第１の軌跡が選択される場合、前記第１の軌跡に対応する縦幅と横幅とに基づいて、前記第１の軌跡の少なくとも一部を消去するための処理か、前記第１の軌跡を消去するための処理の一方を行う手順とを
コンピュータに実行させるためのプログラムであって、
前記第１の軌跡の横幅が第２のしきい値より大きくない場合、前記第１の軌跡を消去するための処理を行う
プログラム。
【請求項１０】
前記第１の軌跡の縦幅と横幅との比率が第１のしきい値より小さい場合に、前記第１の軌跡の一部を消去するための処理を行い、前記比率が前記第１のしきい値より小さくない場合に、前記第１の軌跡を消去するための処理を行う
請求項９に記載のプログラム。
【請求項１１】
前記比率が第１のしきい値より小さい場合であって、前記第１の軌跡上の第１点が指定される場合、前記第１点の後に手書きにより入力された部分を削除する請求項１０に記載のプログラム。
【請求項１２】
前記第１の軌跡の横幅が前記第２のしきい値より大きく、前記第１の軌跡の縦幅が第３のしきい値より大きくない場合、前記第１の軌跡の少なくとも一部を消去するための処理を行う
請求項９に記載のプログラム。
【手続補正２】
【補正対象書類名】明細書
【補正対象項目名】０００８
【補正方法】変更
【補正の内容】
【０００８】
実施形態によれば、表示制御手段と、処理手段とを具備する。表示制御手段は、手書きにより入力されるストロークに対応する少なくとも一つの軌跡をディスプレイに表示する。処理手段は、前記少なくとも一つの軌跡の内の第１の軌跡が選択された場合、前記第１の軌跡に対応する縦幅と横幅とに基づいて、前記第１の軌跡の少なくとも一部を消去するための処理か、前記第１の軌跡を消去するための処理の一方を行う。前記第１の軌跡の横幅が第２のしきい値より大きくない場合、前記処理手段は、前記第１の軌跡を消去するための処理を行う。